(57)【特許請求の範囲】
【請求項１】
枚葉印刷機の排紙ユニットのグリッパーで搬送される用紙の始点と終点を検知するタイミング検知手段と、
前記タイミング検知手段が前記用紙の始点を検出した判定に基づいて、前記用紙の折れ込みを検知する折れ込み検査を開始し、前記タイミング検知手段が前記用紙の終点を検出した判定に基づいて前記折れ込み検査を終了する折れ込み検知手段と、
前記タイミング検知手段の用紙送りタイミングと連動して、前記排紙ユニットに排出されて積み重ねられる前記用紙のうち、前記折れ込み検知手段が前記用紙の折れ込みを検知した際に、その前記用紙の上側または下側にテープを挿入するテープ挿入手段と、
前記折れ込み検知手段が前記用紙の折れ込みを検知した際に、前記用紙の折れ込み員数を記録する折れ込み員数記録手段と、
を備え、
前記タイミング検知手段を、前記用紙の送り方向において前記折れ込み検知手段の前方に配置し、前記テープ挿入手段を、積み重ねられた前記用紙と前記グリッパーを搬送するチェーンの間に配置したことを特徴とする紙折れ検出装置。
【発明の詳細な説明】
【技術分野】
【０００１】
本発明は、印刷用紙を枚葉印刷機で印刷した際に、印刷された印刷用紙が紙折れした場合でも検出することができる紙折れ検出装置に関する。
【背景技術】
【０００２】
従来、枚葉印刷機を用いて印刷用紙に印刷を行う場合は、印刷機のフィーダ部のエレベータ上に数百枚〜数千枚程度の印刷用紙を積み上げて、１枚ずつ順時に印刷を行った後に、印刷を終えた印刷物は印刷機の排紙ユニットに排出されて積み重ねられる。
そして、その排紙ユニットに排出された印刷用紙は、必要に応じて更に印刷が行われるか、又は紙加工機あるいはその他の工程へと進み、必要な処理工程での作業が行われる。
【０００３】
しかしながら、枚葉印刷機で印刷が行われた印刷用紙が排紙ユニットに排出されて積み重ねられた際に、排出された印刷用紙の一部に紙折れが発生している場合がある。
これら印刷用紙の紙折れの原因としては、最初に包装されている印刷用紙の包装を解いて、印刷機のフィーダ部のエレベータ上に積み上げる際に、用紙の角において折れ込みが発生する。
また、枚葉用紙を搬送する機能を備えたすべての工程において、用紙を受け渡しする際に用紙の折れ込みが発生する。
さらに、印刷や紙加工機あるいはその他の工程へと進む際において、印刷用紙の積み降し作業が行われるが、このような積み降し作業等で用紙がハンドリングされた結果、用紙の折れ込みが起きることもある。
さらに、印刷や紙加工機あるいはその他の工程へと進む際において、印刷用紙の積み降し作業が行われるが、このような積み降し作業等で用紙がハンドリングされた結果、用紙の折れ込みが起きることもある。
【０００４】
このような紙折れを生じた印刷物が不良品として出回るのを防止するために、出願人は、紙折れした印刷用紙が後工程に進む前に、これを取り除いて不良品が発生しないようにするために、印刷用紙の紙折れの有無を検査することができる紙折れ検出装置を既に出願している。（特許文献１、参照）
しかしながら、特許文献１に記載された発明では、印刷した印刷用紙のうち何枚の印刷用紙に紙折れが生じているのかといった員数が把握できないので、正確な員数管理に問題があり、また、印刷工程中に紙折れが発生したものは検知できず、更に、枚葉印刷機で印刷が行われた印刷用紙が排紙ユニットに排出されて積み重ねられた際に、どこに紙折れが生じた印刷用紙が存在しているのか簡単に探し出すことができないといった不便があり、不良品を取り除く作業に時間がかかる。
また、見落としが発生しうるという問題があった。
【先行技術文献】
【特許文献】
【０００５】
【特許文献１】特開平７−１１２８５１号公報
【発明の概要】
【発明が解決しようとする課題】
【０００６】
そこで、本発明は、印刷した印刷用紙のうち何枚の印刷用紙に紙折れが生じているのかといった員数が簡単に把握できて、正確な員数管理を行うことができ、更に、枚葉印刷機で印刷が行われた印刷用紙が排紙ユニットに排出されて積み重ねられた際に、どこに紙折れが生じた印刷用紙が存在しているのか簡単に探し出すことができるようにして、不良品の印刷物を効率的に取り除くことができる紙折れ検出装置を提供する。
【課題を解決するための手段】
【０００７】
本発明の紙折れ検出装置は、枚葉印刷機の排紙ユニットのグリッパーで搬送される用紙の始点と終点を検知するタイミング検知手段と、前記タイミング検知手段が前記用紙の始点を検出した判定に基づいて、前記用紙の折れ込みを検知する折れ込み検査を開始し、前記タイミング検知手段が前記用紙の終点を検出した判定に基づいて前記折れ込み検査を終了する折れ込み検知手段と、前記タイミング検知手段の用紙送りタイミングと連動して、排紙ユニットに排出されて積み重ねられる前記用紙のうち、前記折れ込み検知手段が前記用紙の折れ込みを検知した際に、その前記用紙の上側または下側にテープを挿入するテープ挿入手段と、前記折れ込み検知手段が前記用紙の折れ込みを検知した際に、前記用紙の折れ込み員数を記録する折れ込み員数記録手段を備え、前記タイミング検知手段を、前記用紙の送り方向において前記折れ込み検知手段の前方に配置し、前記テープ挿入手段を、積み重ねられた前記用紙と前記グリッパーを搬送するチェーンの間に配置したことを特徴とする。
【発明の効果】
【０００８】
したがって、本発明の紙折れ検出装置は、用紙の折れ込み員数を記録する折れ込み員数記録手段と、前記折れ込み検知手段で用紙の折れ込みを検知した際に、折れ込みのある用紙の上側又は下側にテープを挿入するテープ挿入手段と、を備えているので、印刷した印刷用紙のうち何枚の印刷用紙に紙折れが生じているのかといった員数が簡単に把握できて、正確な員数管理を行うことができ、更に、枚葉印刷機で印刷が行われた印刷用紙が排紙ユニットに排出されて積み重ねられた際に、どこに紙折れが生じた印刷用紙が存在しているのか簡単に探し出すことができるようにして、不良品の印刷物を効率的に取り除くことができるという効果がある。
【図面の簡単な説明】
【０００９】
【図１】本発明の紙折れ検出装置のブロック図である。
【図２】本発明の紙折れ検出装置を枚葉オフセット印刷機に適応させた図であって、特にセンサおよびテープ挿入手段の配置を示した図である。
【図３】図２を上から見た図である。
【図４】本発明の紙折れ検出装置において、印刷用紙の送り方向と、タイミング検知手段、折れ込み検知手段、テープ挿入手段、の位置関係を示す図である。
【図５】本発明の紙折れ検出装置の処理手順である。
【発明を実施するための形態】
【００１０】
以下、本発明の実施形態に係る紙折れ検出装置を図面に基づいて詳細に説明する。
本発明の実施形態に係る紙折れ検出装置は、図１に示すように、タイミング検知手段１ａ，１ｂと、折れ込み検知手段２ａ，２ｂと、判定手段３と、信号入力手段４と、演算処理手段５と、信号出力手段６と、テープ挿入手段７と、折れ込み員数記録手段８と、が備えられている。
図１において１は用紙の送りタイミングを検知するタイミング検知手段であり、２つのタイミング検知手段１ａ，１ｂが備えられている。
このタイミング検知手段１ａ，１ｂは、用紙の始点・終点を検知する機能を有している。
また、折れ込み検知手段２ａ，２ｂに２つ備えられており、用紙の４角の折れ込みを検知する機能を有している。
これらのタイミング検知手段１ａ，１ｂと折れ込み検知手段２ａ，２ｂとは、判定手段３に接続されている。
なお、タイミング検知手段１ａ，１ｂは、必ずしも２つ設けなくても用紙の始点・終点を検知できるのであれば省略することができる。
【００１１】
判定手段３は、さらに細部が信号入力手段４、演算処理手段５、信号出力手段６から構成されている。
タイミング検知手段１及び折れ込み検知手段２から出力される信号は、信号入力手段４によって判定手段３に取り込まれる。
判定手段３に取り込まれた信号は、その形態は各手段によって（接点信号、電流信号等）異なっている場合においても、信号入力手段４によって統一された形式のディジタルデータに変換される。
そのディジタルデータは演算処理手段５において演算が行われ、紙折れの有無が判定されて、その判定結果は信号出力手段６から出力信号として、テープ挿入手段７と折れ込み員数記録手段８に出力される。
テープ挿入手段７はタイミング検知手段１の用紙送りタイミングと連動して、排紙ユニットに排出されて積み重ねられる印刷用紙のうち、折れ込みのある用紙の上側又は下側にテープを挿入する機能を有しており、折れ込み員数記録手段８は、折れ込み員数を記録する機能を有している。
【００１２】
信号出力手段６から出力される信号を利用して、例としてブザーに接続し、また印刷機の停止スイッチと並列動作するよう印刷機の制御装置に接続されており、紙折れ有りと判定された場合は印刷機を停止する機能を備えるように構成して使用することもできる。
【００１３】
図２は、本発明の紙折れ検出装置を枚葉オフセット印刷機に適応させた図であって、特にセンサおよびテープ挿入手段７の配置を示した図である。
図２において、９は用紙、１０はデリバリパイルボード、１１はデリバリパイルボード１０の高さを調節するセンサであり、印刷後の用紙はグリッパー１２で銜えられて搬送され、デリバリパイルボード１０付近になるとグリッパー１２が緩み用紙が落ちる。
そして、シートブレーキ１３にて速度を落とし、用紙９をデリバリパイルボード１０に積み重ね、上部の高さをセンサ１１でほぼ一定に保ちながらデリバリパイルボード１０を下げていく機構である。
グリッパー１２はチェーン１４でつながっており、用紙を離したあと再び給紙側に戻るようギア１５で連続駆動している。
【００１４】
またタイミング検知手段１と折れ込み検知手段２は、チェーン１４の間に設置されている。
これは用紙を離したあとに戻ってくるグリッパー１２に反応して誤作動を起こさないようにするためである。
勿論、折れ込み検知手段２の設置位置は折れ込みの発生する位置に合わせるのであって、その制約の中で、設置位置の選定を行うことができる。
【００１５】
また、積み重ねられた用紙９と、グリッパー搬送のチェーン１４との間に、折れ込みのある用紙の上側にテープを挿入するテープ挿入手段７が設けられている。
このテープ挿入手段７は、用紙の折れ込みを検知する折れ込み検知手段２で折れ込みを検知した際に、タイミング検知手段１の用紙の送りタイミングと連動して、折れ込みのある用紙の上側又は下側にテープを挿入する機能を有している。
したがって、挿入されたテープは、折れ込みのある用紙の上側または下側に挿入された状態で、デリバリパイルボード１０に積み重ねられた用紙９の上側に挟み込まれ、その挟み込まれたテープが積み重ねられた用紙の側面から見ることができる状態となるように挿入される。
【００１６】
図３は、図２を上から見た図である。
図３において、１６はグリッパーバーであり、用紙を銜えるグリッパーが装備されており、搬送チェーン１４で固定されている。
【００１７】
本発明で用いることのできるタイミング検知手段１としては、検出対象の凸部を検知できればいかなる検知器であってもよい。
例えば光ファイバーセンサのような投光受光器を有する光学式検知機、対象の高さが凸部で異なることを非接触式で検知する静電容量式検知器、渦電流式検知器、あるいは接触式で検知する差動トランス型検知器、ポテンショメータ型検出器等いずれの方式の検知器であっても良い。
その中でも特に好ましいのは、非接触で耐久性があり、応答速度が速い光ファイバーセンサである。
【００１８】
本発明で用いることのできる折れ込み検知手段２としては、用紙９の表裏の光学的反射率の違いをとらえる例えば光ファイバーセンサやレーザーセンサのような投光受光器を有する光学式検知機などを用いる。
用紙９のばたつきがないあるいは検出部で凹凸が少ないような設備ならば、用紙９の高さが折れ込み部分で異なることを非接触式で検知する静電容量式検知器、用紙の高さを変移として変換し、その変移を非接触式で検知する渦電流式検知器、接触式で検知する差動トランス型検知器、ポテンショメータ型検出器等いずれの方式の検知器であってもよい。
また、用紙の送りタイミング用と紙折れ検知用のセンサを用いて、タイミングのＯＮとＯＦＦの間に紙折れ用のセンサの信号が途切れた場合に、用紙の折れが発生していると判定させる。
【００１９】
このようなタイミング検知手段１や折れ込み検知手段２は、通常センサヘッド部とセンサ増幅部から構成されており、センサ増幅部はセンサヘッド部の出力を増幅し、設定値と大小を比較して、比較結果をディジタル信号として出力する働きがある。
設定値は通常センサ増幅部に付いているダイアルを回してその回転角度によって決定される。
【００２０】
本発明の紙折れ検出装置は、図４に示すように、印刷用紙の送り方向に対して、タイミング検知手段１、折れ込み検知手段２が順番に並んで配置されており、テープ挿入手段７により折れ込みされた用紙に対して自動的にテープを挿入できるように構成されている。
【００２１】
次に、本発明の紙折れ検出装置の処理手順について、図５に基づき説明する。
まず、搬送される印刷用紙に対して、タイミング検知手段１での判定（ステップ１）において、折れ込み検査開始を決定する。
そして、折れ込み検知手段２で用紙の折れ込み検知処理（ステップＳ２）を行う。
その後、タイミング検知手段１での判定（ステップＳ３）において、折れ込み検査の終了を決定し、折れ込み検知手段２を停止する。
これまでの過程で用紙の折れ込みがあると判定した際、テープ挿入手段７により、折れ込みのある用紙の上側にテープを挿入する。（ステップＳ４）
次に、員数記録手段８に、用紙の折れ込み員数が記録される。（ステップＳ５）
【００２２】
上記のように、本発明の紙折れ検出装置では、用紙の折れ込みがあった場合には、印刷用紙が排紙ユニットに排出されて積み重ねられた際にも、どこに折れ込みが生じた印刷用紙が存在しているのか簡単に探し出すことができるように、また見落としがないようにして、不良品の印刷物を効率的に取り除くことができるようにしてある。
また、印刷した印刷用紙のうち何枚の印刷用紙に折れ込みが生じているのかといった員数が簡単に把握できて、正確な員数管理を行うことができるようにしてある。
【符号の説明】
【００２３】
１ａ，１ｂ  タイミング検知手段
２ａ，２ｂ  折れ込み検知手段
３  判定手段
４  信号入力手段
５  演算処理手段
６  信号出力手段
７  テープ挿入手段
８  折れ込み員数記録手段
９  用紙
１０  デリバリパイルボード
１１  パイルボード高さ調節センサ
１２  グリッパー
１３  シートブレーキ
１４  チェーン
１５  ギア
１６  グリッパーバー
【図１】
0005434350.tif 000002
【図２】
0005434350.tif 000003
【図３】
0005434350.tif 000004
【図４】
0005434350.tif 000005
【図５】
0005434350.tif 000006